(57)【要約】【課題】  生き餌の姿勢をヒラメ等が食い付きやすい姿勢にする。【解決手段】  基端側が釣り竿６１に取り付けられ、先端側に第１錘２０が取り付けられた第１釣り糸１０における、釣り竿６１の先端よりも下方でかつ第１錘２０よりも上方に位置する部分に設定された分岐点１０ｃから基端が分岐されて先端が自由端となって延びる第２釣り糸３０と、第２釣り糸３０の先端に取り付けられて生き餌の頭部に引っ掛けられる釣り針４０と、第２釣り糸３０における、分岐点１０ｃと釣り針４０との間に位置する部分に取り付けられて、第２釣り糸３０を介して釣り針４０を下方又は斜め下方に付勢する第２錘５０と、を備える。【選択図】  図１
2011000085.tif 000002
【特許請求の範囲】
【請求項１】
基端側が釣り竿に取り付けられ、先端側に第１錘が取り付けられた第１釣り糸における、前記釣り竿の先端よりも下方でかつ前記第１錘よりも上方に位置する部分に設定された分岐点から基端が分岐されて先端が自由端となって延びる第２釣り糸と、
前記第２釣り糸の先端に取り付けられて生き餌の頭部に引っ掛けられる釣り針と、
前記第２釣り糸における、前記分岐点と前記釣り針との間に位置する部分に取り付けられて、前記第２釣り糸を介して前記釣り針を下方又は斜め下方に付勢する第２錘と、を備える、
ことを特徴とする釣り糸。
【請求項２】
前記第２錘は、前記第２釣り糸に１又は２以上のものが取り付けられている、
ことを特徴とする請求項１に記載の釣り糸。
【請求項３】
前記第２錘は、前記第２釣り糸に対し、固定状態で、又は位置調整可能にとりつけられている、
ことを特徴とする請求項２に記載の釣り糸。
【請求項４】
位置調整可能な前記第２錘は、前記第２釣り糸が貫通される透孔が形成された錘本体と、前記錘本体の前記透孔と前記第２釣り糸との間に挿入されることで前記錘本体の移動を禁止するとともに、前記透孔と前記第２釣り糸との間から引き抜かれることで前記錘本体の移動を許容する楔部材とを有する、
ことを特徴とする請求項３に記載の釣り糸。
【請求項５】
前記釣り針は、前記第２釣り糸の先端に近い側に設けられて前記生き餌の前記頭部に引っ掛けられる第１フックと、遠い側に設けられて前記生き餌の胴部に引っ掛けられる第２フックとを有する、
ことを特徴とする請求項１ないし４のいずれか１項に記載の釣り糸。
【請求項６】
基端側が釣り竿に取り付けられ、先端側が前記釣り竿の先端から吊下される第１釣り糸と、
前記第１釣り糸の先端に取り付けられて前記第１釣り糸の先端側を下方に付勢する第１錘と、
前記第１釣り糸における、前記釣り竿の先端よりも下方でかつ前記第１錘よりも上方に位置する部分に設定された分岐点から基端が分岐されて先端が自由端となって延びる第２釣り糸と、
前記第２釣り糸の先端に取り付けられて生き餌の頭部に引っ掛けられる釣り針と、
前記第２釣り糸における、前記分岐点と前記釣り針との間に位置する部分に取り付けられて、前記第２釣り糸を介して前記釣り針を下方又は斜め下方に付勢する第２錘と、を備える、
ことを特徴とする釣り糸。
【発明の詳細な説明】
【技術分野】
【０００１】
本発明は、魚を釣るための釣り糸、特に海底に伏せるようにして生息する魚を生き餌によって釣るための釣り糸に関する。
【背景技術】
【０００２】
海中に伏して生息する魚、例えばヒラメ（以下、ヒラメ等という）を釣るための釣り糸が、例えば、特許文献１に開示されている。このものは、小魚用の釣り針を先端に有する釣り糸に対して、ヒラメ等の対象魚用の釣り針を先端に有する対象魚用の釣り糸を着脱自在に取り付けている。まず、対象魚用の釣り糸を外した状態で、小魚用の釣り針で、小魚を釣り上げる。つづいて、小魚を外すことなく、対象魚用の釣り糸を取り付けて、その対象魚用の釣り針を小魚に刺して、小魚を生き餌として対象魚を釣る。これによると、生き餌としての小魚を釣り針に刺す手間を省けるとともに、活きの良い餌で、対象魚を釣ることができる。
【０００３】
また、ヒラメ等を釣るための釣り糸として、先端（下端）に錘を付けて海中に垂らす釣り糸（第１釣り糸）の途中から別の釣り糸（第２釣り糸）を分岐させ、この第２釣り糸の先端（分岐点とは反対側）に固定された釣り針に、イワシ等の生き餌を取り付ける釣り糸が知られている。
【０００４】
この釣り糸にあっては、頭部に釣り針が刺された生き餌の泳ぐ範囲は、ほぼ分岐点を基準として、第２釣り糸の長さの範囲内に規制される。このため、海底に伏しているヒラメの近傍を泳ぎ回ることになる。
【先行技術文献】
【特許文献】
【０００５】
【特許文献１】登録実用新案第３１４６４８８号公報
【発明の概要】
【発明が解決しようとする課題】
【０００６】
ところで、ヒラメ等は、生き餌に対して、頭部側から食いつく習性があることが知られている。
【０００７】
これに対して、上述の釣り上げられた生き餌、または、頭部に釣り針が刺された生き餌は、上方又は斜め上方を向いて、つまり、海底にいるヒラメ等とは向かい合わない状態で泳ぎがちになる。
【０００８】
このため、ヒラメ等が生き餌に食らい付きにくいという問題があった。なお、生き餌を釣り針に付けるに際し、釣り針を生き餌の背中に刺す、いわゆる背かけを行うと、生き餌は下を向く傾向にあるが、この場合は、生き餌の弱りかたが早いという問題がある。
【０００９】
そこで、本発明は、生き餌が弱ることなく、下方又は斜め下方を向いてヒラメ等に向かい合った状態でヒラメ等の近傍を泳ぐようにして、ヒラメ等が生き餌に食いつきやすいようにした釣り糸を提供することを目的とするものである。
【課題を解決するための手段】
【００１０】
本発明は、釣り糸において、基端側が釣り竿に取り付けられ、先端側に第１錘が取り付けられた第１釣り糸における、前記釣り竿の先端よりも下方でかつ前記第１錘よりも上方に位置する部分に設定された分岐点から基端が分岐されて先端が自由端となって延びる第２釣り糸と、前記第２釣り糸の先端に取り付けられて生き餌の頭部に引っ掛けられる釣り針と、前記第２釣り糸における、前記分岐点と前記釣り針との間に位置する部分に取り付けられて、前記第２釣り糸を介して前記釣り針を下方又は斜め下方に付勢する第２錘と、を備える、ことを特徴とする。
【００１１】
また、上述構成において、前記第２錘は、前記第２釣り糸に１又は２以上のものが取り付けられるようにしてもよい。
【００１２】
また、上述構成において、前記第２錘は、前記第２釣り糸に対し、固定状態で、又は位置調整可能にとりつけられるようにしてもよい。
【００１３】
また、上述構成において、位置調整可能な前記第２錘は、前記第２釣り糸が貫通される透孔が形成された錘本体と、前記錘本体の前記透孔と前記第２釣り糸との間に挿入されることで前記錘本体の移動を禁止するとともに、前記透孔と前記第２釣り糸との間から引き抜かれることで前記錘本体の移動を許容する楔部材とを有するようにしてもよい。
【００１４】
また、上述構成において、前記釣り針は、前記第２釣り糸の先端に近い側に設けられて前記生き餌の前記頭部に引っ掛けられる第１フックと、遠い側に設けられて前記生き餌の胴部に引っ掛けられる第２フックとを有するようにしてもよい。
【００１５】
さらに、本発明は、釣り糸において、基端側が釣り竿に取り付けられ、先端側が前記釣り竿の先端から吊下される第１釣り糸と、前記第１釣り糸の先端に取り付けられて前記第１釣り糸の先端側を下方に付勢する第１錘と、前記第１釣り糸における、前記釣り竿の先端よりも下方でかつ前記第１錘よりも上方に位置する部分に設定された分岐点から基端が分岐されて先端が自由端となって延びる第２釣り糸と、前記第２釣り糸の先端に取り付けられて生き餌の頭部に引っ掛けられる釣り針と、前記第２釣り糸における、前記分岐点と前記釣り針との間に位置する部分に取り付けられて、前記第２釣り糸を介して前記釣り針を下方又は斜め下方に付勢する第２錘と、を備える、ことを特徴とする。
【発明の効果】
【００１６】
本発明によれば、第２釣り糸は、第１釣り糸の分岐点から分岐しているので、第２釣り糸の釣り針に生き餌の頭部を引っ掛けると、生き餌は、分岐点を基準として第２釣り糸の長さの範囲内で泳ぐ。この際、第２釣り糸は、第２釣り糸における分岐点と釣り針との間に第２錘が取り付けられているので、この第２錘の自重によって下方又は斜め下方に付勢される。したがって、第２釣り糸の先端に取り付けられている釣り針に頭部を引っ掛けられた生き餌は、その頭部が第２錘により第２釣り糸を介して下方又は斜め下方に付勢された姿勢で泳ぐ。このため、海底に伏していて、生き餌を頭部から食らいつく傾向にあるヒラメ等が生き餌に食い付きやすい。
【００１７】
また、第２釣り糸に１又は２以上の第２錘を取り付ける場合には、第２錘の数を変更して、錘全体の重さを調整することができるので、重さを調整することにより、生き餌をヒラメ等に向きやすくすることができる。
【００１８】
また、第２錘が第２釣り糸に対して固定状態で取り付けられていれば、位置調整が不要であるので、生き餌の大きさや活きのよさがわかっている場合には、便宜である。一方、位置調整可能に取り付けられていれば、生き餌の大きさや活きの良さに応じて、位置調製を行うことにより、生き餌をより一層、ヒラメ等に向きやすくすることができる。
【００１９】
また、位置調整可能な第２錘を、錘本体とその透孔に抜き差しする楔部材とで構成すれば、第２釣り糸に対して、楔部材の抜き差しによって錘本体を簡単に移動させることができる。
【００２０】
また、釣り針が第１フックと第２フックとを有するようにすれば、釣り針の第１フックに生き餌の頭部を引っ掛け、また、第２フックを生き餌の胴部に引っ掛けることにより、釣り針に対して生き餌の姿勢を安定させることができる。これにより、第２釣り糸が第２錘によって下方又は斜め下方に付勢された際に、第２釣り糸を介して生き餌の頭部を確実に下方又は斜め下方に付勢し、斜め下方に向けることができる。
【発明を実施するための最良の形態】
【００２１】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２２】
図１〜図６を参照して、本発明に係る釣り糸の実施形態１について説明する。ここで、図１は、釣り竿６１に装着された状態の釣り糸１を説明する、釣り竿６１を斜めから見た状態の斜視図である。図２は、第１釣り糸１の長さを調整できる第１錘２０Ａの構成を説明する中心軸を含む断面図である。図３は、位置調整可能な第２錘５０Ａの構成を説明する中心軸を含む断面図である。図４（ａ），（ｂ）は、別の楔部材５７，５８を説明する斜視図である。図５（ａ）は、さらに別の第２錘５０Ｂを説明する軸を含む断面図及び楔部材５７を説明する斜視図であり、（ｂ），（ｃ）はそれぞれ異なる楔部材２５，５６を説明する斜視図である。図６は、釣り糸１の作用を説明する図である。
【００２３】
図１に示すように、釣り糸１は、釣り竿６１の先端６１ａから吊下された第１釣り糸１０と、この第１釣り糸１０の先端（下端）１０ｂに取り付けられて第１釣り糸１０の先端１０ｂ側を下方に付勢する第１錘２０と、第１釣り糸１０における、釣り竿６１の先端６１よりも下方（第１釣り糸１０の基端１０ａよりも下方）でかつ第１錘２０よりも上方に位置する部分に設定された分岐点１０ｃから基端３０ａが分岐されて先端３０ｂが自由端となって延びる第２釣り糸（枝糸）３０と、この第２釣り糸３０の先端３０ｂに取り付けられて生き餌の頭部に引っ掛けられる釣り針４０と、第２釣り糸３０における、分岐点１０ｃと釣り針４０との間に位置する部分に取り付けられて、第２釣り糸３０を介して釣り針４０を下方又は斜め下方に付勢する第２錘５０と、を備えている。
【００２４】
ここで、第１釣り糸１０は、道糸１１の一部と先糸１３とによって構成されている。すなわち、道糸１１は、その基端側が、釣り竿６１に固定されたリール６２に巻き付けられて、釣り竿６１に沿って延び、先端側が釣り竿６１の先端６１ａから下方に吊下されている。道糸１１のうちのこの吊下部分と、この吊下部分の先端（下端）に連結されて下方に垂下された先糸１３とによって、第１釣り糸１０が構成されている。さらに、先糸１３には、上方から順に、サルカン１２、三つ又サルカン１４、スナップ付サルカン１５、サルカン１６、スナップ付サルカン１７、サルカン１８、ダブルスナップ付サルカン２２が配置されている。上述の三つ又サルカン１４は、後述する第２釣り糸３０が分岐される分岐点１０ｃとなる。なお、上述のサルカンのうち、スナップ付のものは、その開閉によって隣接するサルカンに対して着脱自在となっている。
【００２５】
図１に例示する第１釣り糸１０は、三つ又サルカン１４の下に、上下に位置する２本の短い釣り糸（捨糸）１０Ａ，１０Ｂが連結されている。すなわち、上に位置する釣り糸１０Ａは、上端にスナップ付サルカン１５を有し、また、下端にサルカン１６を有していて、スナップ付サルカン１５のスナップによって三つ又サルカン１４に接続されている。一方、下に位置する釣り糸１０Ｂも上の釣り糸１０Ａと同様に、上端にスナップ付サルカン１７を有し、また、下端にサルカン１８を有していて、スナップ付サルカン１７のスナップによって、上の釣り糸１０Ａのサルカン１６に連結されている。さらに、下の釣り糸１０Ｂは、サルカン１８に連結されたダブルスナップ付サルカン２２を介して、第１錘２０に連結されている。以上から明らかなように、第１釣り糸１０は、三つ又サルカン１４（分岐点１０ｃ）から第１錘２０までの長さを、容易に変更することができる。図１に示す例では、三つ又サルカン１４と第１錘２０との間（両者間）に２本の釣り糸１０Ａ，１０Ｂを配置しているが、例えば、これを１本にすることにより、両者間の長さ（距離）を短くすることができ、逆に、例えば、３本にすることにより、両者間の長さ（距離）を長くすることができる。さらに、釣り糸１０Ａや釣り糸１０Ｂの本数を増減させるほかに、例えば、釣り糸１０Ａや釣り糸１０Ｂに代えて、１本当たりの長さがこれよりも長い釣り糸を使用したり、逆に、短い釣り糸を使用したりすることで、両者間の距離を調整することも可能である。
【００２６】
ここで、両者間の距離（長さ）は、後述する第２釣り糸３０の絡まり具合や、釣り場が岩場であるか砂地であるか等によって調整するとよい。例えば、潮流が早い場合や、生き餌の活きがより場合には、第２釣り糸３０と絡みやすいので、これらの場合には、短いのが好ましい。また、両者間の距離を調整することで、海底から（第１錘２０から）生き餌までの高さ位置を調整することが可能である。例えば、岩場においては、両者間の距離を長くして、生き餌が泳ぐ位置を高くし、これにより、第２釣り糸３０が岩に絡まりに異様にする。逆に、砂地においては、両者間の短くして、生き餌が泳ぐ位置が海底（ヒラメ等）に近づくようにし、これにより、ヒラメ等を釣りやすくする。なお、一般的には、両者間の距離が短いと、ヒラメ等を釣りやすくなる反面、大きさについては小さいものとなる。逆に、両者間の距離が長い、ヒラメ等を釣りにくくなる反面、大物をねらうことができる。以上のように、両者間の距離は、状況に応じて、適宜、調整するのが好ましい。
【００２７】
第１錘２０は、上述のダブルスナップ付サルカン２２を介して、第１釣り糸１０の先端１０ｂに取り付けられている。第１釣り糸１０を海中に垂らした際に、この第１錘２０が海底に達すると手応えが変化するので、これにより、第１錘２０が海底に達したことを知ることができる。つまり、第１錘２０は、海底の位置を知るためのセンサとしても作用する。と錘本体２１とによって構成されていて、第１釣り糸１０の先端１０ｂに取り付けられている。
【００２８】
第２釣り糸３０は、その基端３０ａが分岐点１０ｃとなるサルカン１４に取り付けられていて、先端３０ｂが自由端となって延びている。
【００２９】
釣り針４０は、第２釣り糸３０の先端３０ｂに近い側に設けられて生き餌の頭部に引っ掛けられる第１フック（親針）４１と、第２釣り糸３０の先端３０ｂから第１フック４１よりも遠い側に設けられて生き餌の胴部に引っ掛けられる第２フック（孫針）４２とを有している。第２フックは４２は、第２釣り糸３０の先端３０ｂから第１フック４１よりも遠い側に設けられて生き餌の胴部近傍に引っ掛けられる第２フック４２とを有している。第２フック４２は、短い糸４２ａを介して第１フック４１に取り付けられている。
【００３０】
第２錘５０は、第２釣り糸３０に固定されている。第２錘５０としては、重さが１．０〜５．０ｇのものを使用するとよい。さらには、１．５〜４．５ｇのものを好適に使用することができる。この第２錘５０の重さは、例えば、ヒラメ釣りにおいて一般的に使用される生き餌である鰯の重量や活きの良さに応じて設定したものである。図示例では、第２釣り糸３０の先端３０ｂ近傍に固定されている。なお、第２錘５０の固定位置は、これに限定されず、第２釣り糸３０の任意の位置に設定することができる。なお、この位置は、上述の釣り針４０に生き餌を引っ掛けたときに、生き餌が斜め下方を向いた状態で泳ぐように設定するとよい。したがって、生き餌の大きさや、生き餌の活きの良さによって決定される。例えば、生き餌として、体長が１５ｃｍ程度で重さが６０〜８０程度の真鰯を使用する場合には、真鰯を弱らせて泳ぐ力を弱めて下方に向け、ヒラメ等が狙いやすくするために、第２錘５０は、図１に示すように、第２釣り糸３０の先端３０ｂ近傍に固定するとよい。これに対し、生き餌として、体長が８〜１０ｃｍ程度で重さが２０〜３０ｇ程度のカタクチ鰯を使用する場合には、第２錘５０を上述と同様に先端３０ｂ近傍に固定すると、カタクチ鰯がほとんど泳げなくなって、ヒラメ等に発見されにくくなるため、カタクチ鰯の場合には、第２釣り糸３０の先端３０ｂから適度に基端３０ａ側に寄った位置に固定するとよい。なお、第２錘５０として、蛍光作用を有する蛍光錘を使用して、視認性を高めるようにしてもよい。
【００３１】
図６を参照して、上述構成の釣り糸１の作用について説明する。なお、図６では、海面Ｓに浮かべた船（不図示）を潮や風向きに対して真横に流す、いわゆる横流しを行う場合を例に説明する。
【００３２】
同図に示すように、生き餌Ａの頭部Ａ１に第１フック４１を引っ掛け、また、生き餌Ａの胴部Ａ２に第２フック４２を引っ掛けた状態で、第１釣り糸１０を釣り竿６１から吊下して第１錘２０を海底Ｂに着地させる。このとき、釣り竿６１の先端に無駄なテンションをかけないようにする。船が図６中の右方から左方に流されると、第１釣り糸１０が図示のように傾斜する。この状態で、釣り竿６１の先端６１ａを上げて第１錘２０を少し、海底Ｂから離すと、第１錘２０は、図示のように傾斜した第１釣り糸１０によって左方に移動され、これに伴って分岐点１０ｃから分岐されている第２釣り糸３０が左方に引っ張られる。この際、第２釣り糸３０に第２錘が付けられていない場合には、第２釣り糸３０はほぼ水平になって釣り針４０に引っ掛けられた生き餌Ａを引っ張ることになるが、本発明においては、第２釣り糸３０に第２錘５０が取り付けられているので、その自重によって、第２釣り糸３０の中間部が下方に付勢される。これにより、生き餌Ａの頭部Ａ１が斜め下方に向けられる。これにより、海底に伏していて、餌を頭部から食らいつくヒラメ等の魚に発見されやすくなり、ヒラメ等が生き餌Ａに食い付きやすくなる。さらに、釣り針４０が、第１フック４１と第２フック４２とを有していて、第１フック４１に生き餌の頭部を、また、第２フック４２に生き餌の胴部を引っ掛けるので、生き餌の姿勢を安定させやすく、このことと、第２錘５０とが相俟って、さらに、生き餌を斜め下方に向けやすくなる。
【００３３】
図２は、第１釣り糸の長さ調整を可能とした別の第１錘２０Ａを、その軸心を含む平面で切った縦断面を示す。同図に示すように、第２錘２０Ａは、球形の錘本体２３の中心を、透孔２４ａを有する環状部材２４が上下に貫通していて、この透孔２４ａには第１釣り糸１０の先端側が上方から下方に向けて貫通している。錘本体２３は、透孔２４ａと第１釣り糸１０との間に挿入される楔部材２５によって第１釣り糸１０に固定される。第１釣り糸１０の、透孔から突出された部分は、上方に折り返されて、固定具２６ａ，２６ｂによって固定される。図示例によると、固定具２６ａ，２６ｂから第１釣り糸１０の先端を外して、楔部材２５を抜くことによって、第１釣り糸１０に対して、第１錘２０Ａに位置を自由に変更することができ、これにより、第１釣り糸１０の長さを調整することができる。
【００３４】
上述の図１で示す例では、第２錘５０を、第２釣り糸３０に対して固定する場合を説明したが、これに代えて、第２釣り糸３０に沿って移動可能に取り付けるようにしてもよい。
【００３５】
図３に、第２釣り糸３０に対して、位置調整可能な第２錘５０Ａの、その軸心を含む平面で切った断面図を示す。錘本体５３ａは楕円球体状（ラグビーボール状）に形成されていて、その軸心には、透孔５４ａを有する環状部材５４が挿入されている。環状部材５４の下端部は、錘本体５３から下方の突出されていてこの突出部分には、楔部材５６が取り付けられている。楔部材５６は、突出部分を貫通する抜け止め５６ｃとここから半円状に延びる保持部５６ｂと、保持部によって保持された楔部５６ａを有していて、全体は弾性を有する合成樹脂（プラスチック）によって構成されている。透孔５４ａを貫通する第２釣り糸（不図示）と透孔５４ａとの間に、楔部５６ａを挿入することで錘本体５３ａを固定し、また、楔部５６ａを引き抜いて錘本体５３ａを移動させ、その後、楔部５６ａを挿入することで、第２釣り糸（不図示）の異なる位置に固定することができる。一般に、第２錘５０Ａの位置は、生き餌の重さが重くて活きが良い場合には、釣り針４０の近くの位置に設定し、一方、生き餌の重さが軽くて活きがあまり良くない場合には、釣り糸４０から遠い位置に設定するとよい。
【００３６】
図４（ａ），（ｂ）に楔部材５７，５８の変形例を示す。なお、第２錘５０Ａは、図３に示すものと同様である。（ａ）に示す楔部材５７は、管状部材５４の下方に突出する突出部分の外周面に係脱可能なリング部５７ｃとこれから半円状に延びる保持部５７ａと保持部に保持された楔部５７ｂとを有している。リング部５７ｃを突出部分に係合させた状態で、楔部５７ｂを抜き差しすることになる。なお、リング部５７ｃは、環状部材５４の下方に突出する突出部分の外周面に係脱するに代えて、第２釣り糸３０（図１参照）に通すようにしてもよい。（ｂ）に図示する楔部材５８は、第２釣り糸（不図示）が貫通するリング部５８とその一部から突出された楔部５８ｂとを有している。リング部５８ａに第２釣り糸が貫通した状態で、楔部５８ｂを抜き差しすることができる。
【００３７】
図５（ａ）に示す第２錘５０Ｂは、管状（円筒状）の錘本体７１と、その軸心を貫通する管状部材７２によって構成されている。管状部材７２には、第２釣り糸が貫通する透孔７３が形成されている。なお、（ａ），（ｂ），（ｃ）にそれぞれ示す楔部材５７，２５，５６は、この順に、図４（ａ）、図２、図３に図示するものと同じであるので説明は省略する。図５（ｂ）に示す第２錘５０Ｂは、管状に形成されていて、図４（ａ）に示す楕円球体状の第２錘５０Ａと比較して、全体を細く形成することができるので、ヒラメ等に発見されにくいというメリットがある。
【００３８】
以上では、第２釣り糸３０に対して、１個の第２錘５０を固定的に配置する場合（図１参照）、そして、第２釣り糸３０に対して、１個の第２錘５０Ａ、又は１個の第２錘５０Ｂを移動可能に取り付ける場合を説明したが、本発明はこれらに限定されるものではなく、第２錘として、第２釣り糸３０に固定した１個の不動錘と、第２釣り糸３０に対して移動可能に取り付けた１個の可動錘の、合計２個のものを用いるようにしてもよい。
【００３９】
この場合、不動錘としては、例えば、図１に示す第２錘５０（以下、適宜、不動錘５０という。）を使用することができる。一方、可動錘としては、例えば、図７に例示する可動錘８０を使用することができる。ここで、図７は、可動錘８０の斜視図である。
図７に示すように、可動錘８０は、楕円球体状（ラグビーボール状）に形成された錘本体８１とその中心を上下に貫通する管状部材８２とを有している。錘本体８１は、例えば、金属によって形成されていて、管状部材８２の表面に達する縦方向のスリット８１ａが形成されている。このスリット８１ａの幅Ｗ１は、第２釣り糸３０（図１参照）の直径よりも少し大きい寸法に設定されている。一方、管状部材８２は、ゴム等の柔らかい素材のものをパイプ状に形成したものであり、上述の錘本体８１のスリット８１ａに対応する位置に、内側と外側とを連通する縦方向のスリット８２ａを有している。スリット８２ａの幅Ｗ２は、第２釣り糸３０の直径よりも小さい寸法に設定されている。
【００４０】
可動錘８０を第２釣り糸３０に取り付けるには、まず、第２釣り糸３０を、その直径よりも幅広の錘本体８１のスリット８１ａに通し、さらに、その直径よりも幅狭の管状部材８２のスリット８２ａに、これを変形させて強制的に通す。そして、例えば、図４（ａ）に示すものと同様の楔部材５７のリング部５７ｃをあらかじめ第２釣り糸３０に通しておいて、このリング部５７ｃに保持部５７ａを介して保持された楔部５７ｂを、第２釣り糸３０の外周面と管状部材８２の内周面との間に挿入する。これにより、可動錘８０を第２釣り糸３０に取り付けることができる（図１に可動錘８０を２点鎖線で示す）。第２釣り糸３０に対して、可動錘８０の位置を調整するには、第２釣り糸３０の外周面と管状部材８２の内周面との間に挿入されていた楔部材５７の楔部５７を引き抜くことにより、可動錘８０を任意の位置に移動させて位置決めすることができる。そして、再び、第２釣り糸３０の外周面と管状部材８２の内周面との間に楔部材５７の楔部５７ｂを挿入することにより、可動錘８０を、位置決めした位置に取り付ける（固定する）ことができる。
【００４１】
不動錘５０と可動錘８０とを組み合わせて使用する場合には、例えば、固定錘５０は図１に示すように、第２釣り糸３０の先端３０ｂに固定するとよい。この場合、固定錘５０は、主に釣り針４０に取り付けられた生き餌の頭部を下方又は斜め下方に向ける作用をなす。一方、可動錘８０は、生き餌の大きさ（重さ）や活きの良さに応じて、適宜な位置に位置決めして取り付ける。一般に、可動錘８０の取り付け位置が不動錘５０に近いほど（第２釣り糸３０の先端３０ｂに近いほど）、生き餌を下方又は斜め下方に向ける力が強くなるとともに、生き餌の泳ぎ回る範囲を狭めて泳ぎにくくする。逆に、可動錘８０の取り付け位置が不動錘５０から遠いほど（第２釣り糸３０の基端３０ａに近いほど）、生き餌を下方又は斜め下方に向ける力が弱くなるとともに、生き餌の泳ぎ回る範囲を広めて泳ぎやすくする。したがって、可動錘８０は、生き餌が大きくて活きがいいほど不動錘５０に近い位置に取り付け、また、生き餌が小さくて弱っているほど、不動錘５０から遠い位置に取り付けるとよい。
【００４２】
図８（ａ），（ｂ）を参照して、移動可能な分岐点１０ｃを示す。これらは、いずれも斜視図であり、第２釣り糸３０の取り付け方が異なるのみで、他の構成は同様である。図８（ａ）に示すように、可動分岐部材９０は、相互に少し離して配置された２個の金属パイプ９１，９１と、これらの軸心を貫通する、ゴム等で形成された管状部材９２と、管状部材９２のうちの、２個の金属パイプの間に位置する露出部分９２ａに嵌められたリング９３、及び図４（ａ）に示すものと同様の楔部材５７（不図示）とによって構成されている。管状部材９３には、第２釣り糸３０の基端３０ａが結ばれている。第１釣り糸１０に対して、可動分岐部材９０を移動させるには、第１釣り糸１０の外周面と管状部材９２の内周面との間に挿入されていた楔部材５７の楔部５７ｂを引き抜いて、可動分岐部材９０を移動させて位置決めし、位置決め後に、第１釣り糸１０の外周面と管状部材９２の内周面との間に楔部材５７の楔部５７ｂを挿入することで、可動分岐部材９０を第１釣り糸１０に取り付ける（固定する）ことができる。この可動分岐部材９０を使用すると、第１釣り糸１０に対して任意の位置に分岐点１０ｃを設定することができるので、捨糸として、必要最小限のものを取り付けるようにすれば十分であり、第１釣り糸１０全体の構成を簡略化することが可能である上、第１錘２０から分岐点１０ｃまでの距離を簡単に変更（調整）することができる。
【００４３】
本発明においては、第２釣り糸３０に取り付ける第２錘は、１又は２以上とすることができ、また、これらの固定又は位置調整可能は、任意とすることができる。例えば、生き餌の重さや活きの良さがわかっている場合には、それらに応じて、１又は２以上の固定された錘を使用することができる。この場合は、位置調整が不要であるので、簡単に釣りを行うことができる。これに対して、生き餌の重さや活きの良さがわからない場合や、釣りの途中で活きの良さが変化することが想定されるような場合には、第２錘として１又は２以上の位置調整可能なものを使用するとよい。この場合には、生き餌の重さや活きの良さに基づいて、第２錘の位置を適宜調整できるので、位置調整により、生き餌がヒラメ等に好適に向くようにすることができる。なお、複数の第２錘を使用する場合、固定されたものと、位置調整が可能なものとを組み合わせて使用してもよいのはもちろんである。
【００４４】
図８（ｂ）は、（ａ）に示すリング９３に代えて、管状部材９２の露出部分９２ａにサルカンの一方のリング部９４ａを装着した例を示す。
なお、可動分岐部材９０は、管状の金属パイプ９１に代えて、図３に示すような楕円球体状（ラグビーボール状）のものを使用するようにしてもよい。
【図面の簡単な説明】
【００４５】
【図１】釣り竿６１に装着された状態の釣り糸１を説明する、釣り竿６１を斜めから見た状態の斜視図である。
【図２】第１釣り糸１０の長さを調整できる第１錘２０Ａの構成を説明する図である。
【図３】位置調整可能な第２錘５０Ａの構成を説明する図である。
【図４】（ａ），（ｂ）は別の楔部材５７，５８を説明する図である。
【図５】（ａ）は、さらに別の第２錘５０Ｂ及び楔部材５７を説明する図であり、（ｂ），（ｃ）はそれぞれ異なる楔部材５５，５６を説明する図である。
【図６】釣り糸１の作用を説明する図である。
【図７】可動錘８０の斜視図である。
【図８】（ａ），（ｂ）は、可動分岐部材９０の斜視図を示す。
【符号の説明】
【００４６】
１          釣り糸
１０        第１釣り糸
１０ａ      第１釣り糸の基端
１０ｂ      第１釣り糸の先端
１０ｃ      分岐点
２０，２０Ａ
第１錘
３０        第２釣り糸
３０ａ      基端部
３０ｂ      先端部
４０        釣り針
４１        第１フック
４２        第２フック
５０        第２錘、可動錘
５０Ａ，５０ｂ
第２錘
５３，７１  第２錘本体
５４ａ，７３
透孔
５５，５６，５７，５８
楔部材
６１        釣り竿
８０        可動錘（第２錘）
９０        可動分岐部材
Ａ          生き餌
Ａ１        生き餌の頭部
Ａ２        生き餌の胴部
【図１】
2011000085.tif 000003
【図２】
2011000085.tif 000004
【図３】
2011000085.tif 000005
【図４】
2011000085.tif 000006
【図５】
2011000085.tif 000007
【図６】
2011000085.tif 000008
【図７】
2011000085.tif 000009
【図８】
2011000085.tif 000010